(57)【特許請求の範囲】
【請求項１】
移動無線装置にストリーミング情報を提供するための方法であって、
移動無線装置の現在の位置情報、移動方向と移動速度の情報、及び基地局ネットワークの配置情報を取得する段階と、
同移動無線装置の移動方向と移動速度の情報に基づき、前記ストリーミング情報の異なるセグメントを複数の多重移動体ストリーミング情報ネットワークメモリに送信して前記移動無線装置と通信を行う段階であって、移動無線装置の移動方向と移動速度の情報及び現在位置情報に基づき、ストリーミング情報セグメントの長さが決定される段階と、が含まれ、
該複数の各多重移動体ストリーミング情報ネットワークメモリは、異なる基地局と関連付けられている方法。
【請求項２】
前記移動無線装置の現在の位置情報、移動方向と移動速度の情報、及び基地局ネットワークの配置情報に基づき、多重移動体ストリーミング情報ネットワークメモリ識別子を決定する段階が更に含まれる請求項１に記載の方法。
【請求項３】
複数の多重移動体ストリーミング情報ネットワークメモリに送信される前記ストリーミング情報の異なるセグメントの一部が、ストリーミング情報の送信重複部を含む請求項１に記載の方法。
【請求項４】
前記ストリーミング情報の異なるセグメントは、更にパケットサイズを有するパケットからなり、同パケットサイズは移動方向と移動速度の情報に基づき決定される請求項１に記載の方法。
【請求項５】
前記移動無線装置の移動方向と移動速度は、前記移動無線装置と関連する移動無線装置時間位置入力から決定される請求項２に記載の方法。
【請求項６】
移動無線装置においてストリーミング情報を処理するための方法であって、
複数の多重移動体ストリーミング情報ネットワークメモリから受信されたストリーミング情報セグメントを記憶する段階と、
前記複数の多重移動体ストリーミング情報ネットワークメモリから受信された前記ストリーミング情報セグメントの受信重複部を廃棄する段階と、
が含まれる請求項１記載の方法。
【請求項７】
移動無線装置にストリーミング情報を提供するための無線ネットワーク要素であって、
移動無線装置の移動方向情報と移動速度情報を取得するように動作可能な方向決定器回路と、
該移動無線装置の移動方向情報と移動速度情報に基づき、前記ストリーミング情報の異なるセグメントを複数の多重移動体ストリーミング情報ネットワークメモリに送信して前記移動無線装置への通信を行う多点ストリーミング情報配信回路であって、前記複数の各多重移動体ストリーミング情報ネットワークメモリは、異なる基地局に関連付けられている前記多点ストリーミング情報配信回路と、
前記移動無線装置の現在の位置情報、および移動方向と移動速度の情報、に基づいてストリーミング情報セグメントの長さを決定する計算回路と、
が含まれる無線ネットワーク要素。
【請求項８】
移動無線装置にストリーミング情報を提供するためのシステムであって、
複数の多重移動体ストリーミング情報ネットワークメモリと、
同複数の多重移動体ストリーミング情報ネットワークメモリに動作可能に接続された無線ネットワーク要素であって、
少なくとも移動無線装置の移動方向情報と移動速度情報を取得するように動作可能な方向決定器回路と、
前記移動無線装置の移動方向情報と移動速度情報に基づき、前記ストリーミング情報の異なるセグメントを複数の多重移動体ストリーミング情報ネットワークメモリに送信して前記移動無線装置への通信を行う多点ストリーミング情報配信回路であって、ストリーミング情報セグメントの長さは移動無線装置の移動方向と移動速度の情報及び現在位置情報に基づき決定されることと、
該複数の各多重移動体ストリーミング情報ネットワークメモリは、異なる基地局に関連付けられている前記多点ストリーミング情報配信回路と、を含む前記無線ネットワーク要素と、
が含まれるシステム。
【発明の詳細な説明】
【技術分野】
【０００１】
本発明は、一般的に、移動無線装置への情報送信に関し、特に、移動中の移動無線装置にストリーミング情報を提供するための方法及び装置に関する。
【背景技術】
【０００２】
現存する無線情報通信システムは、移動無線装置、例えば、移動無線通信装置として知られる携帯電話、携帯情報端末（ＰＤＡ）、ラップトップ・コンピュータ、インターネット機器又は他の適切な装置を、基地局のネットワーク、例えば、無線通信ネットワークとして知られる無線広域ネットワーク（ＷＷＡＮ）基地局やＷＬＡＮ送信機を介して接続する。例えば、このようなシステムは、ＷＷＡＮ及びＷＬＡＮの双方（又は何れか）を利用することが知られている。ＷＷＡＮシステムは、例えば、以下のシステム、即ち、汎用パケット無線サービス（ＧＰＲＳ）、符号分割多元接続（ＣＤＭＡ）、広帯域ＣＤＭＡ（Ｗ−ＣＤＭＡ）及びユニバーサル移動体通信システム（ＵＭＴＳ）を含むことが知られている。一方、ＷＬＡＮシステムは、通常、ブルートゥース又はＩＥＥＥ８０２.１１システ
ム等の狭帯域無線ローカルエリアネットワーク（ＷＬＡＮ）を含む。
【０００３】
無線情報通信システムは、音声、映像、画像、テキスト、及び他の種類のデータを含む情報を処理することが知られている。また、このようなシステムは、特に、ストリーミング情報（以下、ＳＩと略記）として知られる連続ストリームの映像又は音声で特徴付けられる非常に大きな情報ファイルを処理することが知られている。ＳＩの代表例は、ウェブページ又は生音声もしくは映像にリンクされる動画クリップ等の映像を含むファイルである。ＳＩは、通常、ファイル全体が送信される前に、受信側が情報の表示を開始し得るように処理される。この所期効果のためには、ＳＩは、連続的に再生可能なように、定常ストリームで利用できなければならない。情報が充分速く到着しなければ円滑に表示できない。このような情報は受信装置に流すと言われるため、このような情報の送出は、“情報を流す”と記述することが多い。
【０００４】
既知のボトルネックは、現在、無線移動装置にＳＩを送信する際に存在する。このボトルネックは、このような無線移動装置が、ＳＩを受信中に、セル領域境界としても知られる基地局サービスエリア境界を横切る場合に生じる。この場合、移動無線装置は、１つの基地局サービスエリア即ちセル領域から隣接基地局サービスエリア即ちセル領域に移動して、新しい基地局が移動無線装置に接続する。移動無線装置が特定の基地局に接続されていて、そこからＳＩを受信している場合、このような基地局即ちネットワークインフラは移動無線装置の通信をサポートすると言われる。更に具体的には、無線移動装置は、１つのセルサイトにいる（例えば、特定の基地局に接続されている）間、（基地局制御装置及び移動交換局によってサポートされる）他の利用可能なセルサイトを走査して最良の信号を特定し、このようなセルサイト間を移動する。通常、交換器は、非同期転送モード（ＡＴＭ）リンクを介して接続され、新しいセルサイトが識別されると、ＡＴＭ幹線は、識別された交換器にＳＩを送る。ここで遅延が生じるのは、新しい基地局が、移動無線装置がＳＩと関連していることを最初は認識しないためである。新しい基地局は、特定のＳＩが必要であることを一旦認識すると、ネットワーク要求を行って情報を取得しなければならない。要求された情報が新しい基地局に到着して初めて、その情報を移動無線装置に伝え得る。その結果、無線移動無線装置が新しい基地局にハンドオフされる処理には、このような装置にＳＩを送信する際に遅延が生じる。
【０００５】
少なくとも１つの設計試行では、移動無線装置が無線基地局到達範囲間を横切ることに伴う待ち時間は、それが発生する前にこのような横断を検出し、現基地局から次の基地局
へ送信しようとする情報を複写することによって低減される。ＳＩを処理する場合、この設計法では、次の基地局への情報の複写の一部として、新しい基地局が連続的にＳＩを転送し続け得るように、現パケット情報を複写する。このようなシステムでは、移動無線装置は、無線セルの電気信号強度を監視し、特定の無線セルの方に移動していることを予測する。次に、移動無線装置は、移動無線装置が特定の新しい基地局サービスエリア即ちセル領域に間もなく移動して来ることを管理装置に通知し、また、現基地局関連のキャッシュ情報全てを、予測した新しい基地局関連キャッシュに複写するように通知する。キャッシュは、高速記憶機構である。キャッシュが有効である理由は、殆どのプログラムが、同じデータ又は命令に繰り返しアクセスするためである。ここで、我々は、時間依存ＳＩへのアクセス問題を解決するためにキャッシュを用いるつもりである。このようにキャッシュを用いると、ネットワーク負荷均衡及び最適経路選択の一助となる。更に、ＳＩがこのようなキャッシュに記憶される場合、また、このようなＳＩの一部がその後移動無線装置に送信される場合、キャッシュ全体の新しい基地局への複写動作には、新しい基地局関連キャッシュにこのような現ＳＩの（移動無線装置に既に送信された）重複送信部分の複写動作が含まれる。移動無線装置が次の基地局を識別することに加えて、この設計法では、ネットワークに接続された管理装置は、移動無線装置が属する基地局サービスエリアをログ記録し、そしてまた、前基地局又は基地局サービスエリアの位置情報に基づき、直ぐ次の基地局又は基地局サービスエリアを識別することによって次の基地局を識別し得る。いずれの場合でも、前基地局のキャッシュ全体を次の基地局に複写する。
【０００６】
上記設計法は、対象がＷＬＡＮでなかったことに留意されたい。一般的に、ＷＬＡＮは、ＷＷＡＮとは著しく異なるように動作することが知られている。例えば、ＷＬＡＮは、キャッシュよりもむしろ小さいバッファを利用して、それらの基地局に関連する情報を記憶する。このようなバッファは、数キロバイトから数メガバイトであるという点でキャッシュと異なり、この場合、キャッシュは、一般的に、ギガバイトオーダである。更に、ＷＬＡＮは、予測基地局機能を利用することが知られておらず、ＷＬＡＮは、通常、他の基地局サービスエリアへの無線移動無線装置の参入を検出し、新しい基地局に制御を渡す。ＷＬＡＮは、通常、新しい基地局即ちアクセスポイントを決定する際、信号強度及び信号対雑音比を用いる。そして、現ＷＬＡＮ基地局即ちアクセスポイントは、次の基地局に対するハンドオフを開始し得る。次に、無線移動装置は、通常ＭＡＣ層機能として知られるものを用いて、基地局即ちアクセスポイントを走査する。無線移動装置は、走査中、基地局即ちアクセスポイントをリッスンし、選択すべきアクセスポイントの優先順位のリスト化を行う。
【０００７】
また、移動コンピュータの現在位置、速度、及び方向に基づき、移動中の移動コンピュータの将来位置を予測するシステムもある。このようなシステムは、予測される位置に関連する地理ベース情報を検索する目的にこの情報を用いる。更に具体的には、地理ベースの情報を用いて、地域案内地図を検索したり、無線移動コンピュータが将来の特定の時間にいると予想される場所の物理的周辺地域に基づき、他の情報を検索したりする。移動コンピュータの位置は、ＧＰＳ受信機、セル方式ネットワーク三角測量測位システム、及び関連するセル方式無線電話システムのセルＩＤを用いることによって、決定又は取得される。更に、可動条件制御装置及び可動条件メモリが、移動体コンピュータの将来位置の予測に用いられる。このようなシステムは、予測されたネットワーク基地局へのＳＩセグメントの送信には対処しない。
【発明の開示】
【発明が解決しようとする課題】
【０００８】
近年、ＳＩの用途が増え続けている。この増加と、この情報に対する要求量や大きさの対応する増加に伴い、かつてない程大きな負担が情報通信システムにかかり続けている。その結果、ＳＩを速く配信し処理する新しい方法の開発に対する市場の要求が大きくなり
続けている。
【課題を解決するための手段】
【０００９】
簡潔に言うと、移動無線装置の少なくとも２つの異なる移動無線装置時間位置入力に基づき、少なくとも移動無線装置方向情報を取得する（即ち、決定する）方法及び装置である。そして、この移動無線装置情報を用いて、異なるセグメントのＳＩを複数の多重移動体ＳＩネットワークメモリに送信して、移動無線装置と通信を行う。各多重移動体ＳＩネットワークメモリは、異なる基地局と関連付けられる。基地局は、例えば、無線周波数送受信機（ＲＦ送受信機）、赤外線送信機、又は移動無線装置に対して無線通信を行うための任意の適切な装置を含む。ＳＩは、これらに限定しないが、移動無線装置への通信用の映像、音声、又は生放送を含む。ＳＩセグメントは、移動無線装置が特定の基地局サービスエリア、例えば、セル領域内にある時、移動無線装置との間で送受信されることが予想されるＳＩ要求の部分である。複数のセグメントは、移動無線装置が複数の基地局サービスエリアを通過する際、情報要求全体が完全に配信されるまで無線移動装置に送信される。このように、これらのＳＩセグメントは、移動体呼出し即ちセッション中、決定又は予測された基地局に送信される。これらのＳＩセグメントは、大きなＳＩ要求を共に構成するため、また、各ＳＩセグメントは、異なる基地局が受信するようになっているため、各情報セグメントは異なる（例えば、同一ではなく、後述のように、重複情報を含み得る）。この構造のため、このようなＳＩセグメントは、ＳＩの現セグメント及びＳＩの将来セグメント、即ち、現ＳＩ及び将来ＳＩとしてもそれぞれ既知であると見なされる。このように現ＳＩの情報は、将来ＳＩのものと異なるが、これは、それらが各々、異なる基地局に向けられその経路に沿った、異なる場所の無線移動装置に送信される情報を含むためである。更に、このようなＳＩセグメントは、通常、複数のパケットから構成される。
【００１０】
予測基地局は、移動無線装置方向情報のみに基づき予測されるが、移動無線装置の経路に沿うと判断される基地局であると言うことができ、また、このように、経路に沿わない基地局よりも移動無線装置の将来の通信をサポートする可能性が高い基地局であると記述し得る。更に、移動無線装置速度情報成分を更に考慮して追加予測される予測基地局は、移動無線装置方向情報のみで予測され速度成分を含む追加計算で後に除外される可能性が高い基地局よりも移動無線装置の将来の通信をサポートする可能性が高い基地局として説明し得ると言える。更に、経路を予測したり経路と時間を予測したりする機会は、移動無線装置の厳密な経路予測が不可能であるため、実現不可能であり、予測経路周辺の基地局、例えば、隣接セルもまた、他の場所にある基地局よりも移動無線装置の将来の通信をサポートする可能性が高い。一般に、任意の特定の基地局サービスエリア即ちセルは、複数の隣接基地局サービスエリア即ちセルを有する。また、移動無線装置の通信をサポートする可能性が高いと見なされる基地局が存在するため、通信をサポートする可能性が低いと見なされる基地局もまた存在すると言える。また、可能性の高さと低さには各々それらのレベルがあり、幾つかの可能性の高い基地局は、他の可能性の高い基地局よりも可能性が低い場合があり、また、可能性の低い基地局についても同様である。
【００１１】
好適な実施形態では、移動無線装置速度情報は、速度ベクトル情報として記述される移動無線装置方向情報と共に用いられる。速度ベクトル情報を用いると、ＳＩの任意の特定セグメントが何をどれくらいの間含むべきか厳密に決定し得る。移動無線装置速度情報を用いると、どの多重移動体ＳＩネットワークメモリにＳＩのどの部分をセグメントで送信すべきか決定し得る。
【００１２】
好適な実施形態では、ＳＩの複数のセグメントは、予測された複数の多重移動体ストリーミング情報ネットワークキャッシュメモリ（以下、ＭＣＭと略記）に送信される。好適な実施形態は、ＭＣＭにキャッシュ型メモリを用いるが、他の実施形態では、他の種類のメモリを用いて、同じ又は同様な機能を実施する。また好適な実施形態では、各基地局は
、異なるＭＣＭと関連付けられる。またＭＣＭは、それら自体のメモリ装置であると見なされる。一般的に、多くの移動無線装置は、任意の時間にいずれか１つの特定のＭＣＭ又は基地局と関連付けられる。また、これら接続されたＭＣＭは、ＳＩの複数のセグメントを各々受信し得るため、任意のこのようなＭＣＭは、複数の移動無線装置からのＳＩセグメントを含むことが多い。異なる実施形態では、特定の基地局と関連するＭＣＭ即ちメモリ装置は、ネットワークのどこにでも配置可能であり、あるいは、幾つかの実施形態では、当業者には公知なように、様々な遠隔操作法でネットワークに接続され、好適な実施形態では、ＭＣＭは、各関連する基地局に配置される。一般的にキャッシュメモリと同様に、ＭＣＭに記憶される情報は、各ＭＣＭが最優先情報を含むように管理する必要がある。これによって、新しい高優先度情報を優先して、古い低優先度情報を廃棄する必要がある。このように、幾つかの実施形態では、設定時間経過後、ＭＣＭに記憶されるＳＩセグメントは、失効する。他の実施形態では、ＳＩセグメントが必要だと予想されるまで到着しないように、同じ手法を遅延配信法と組み合わせて用いる。更に他の実施形態では、移動無線装置の推定到着時間と共にＳＩセグメントを配信し、そして、一旦この時間が過ぎても移動無線装置が到着しない場合、システムは、この情報を除去し得る。更に、他の実施形態は、いつ現在の組の予測ＭＣＭ及びＳＩセグメントが、例えば、移動無線装置の方向の変化が検出された後、もはや正確でないか認識する。従って、このような実施形態では、これに応じて、特定の実行ＭＣＭと事前に接触し始め、どのＳＩセグメントが放棄され、また廃棄即ち除去されるか識別する。
【００１３】
一例では、移動無線装置は、移動無線装置の移動に関連する複数の移動無線装置時間位置入力が得られる時、１つの特定の基地局サービスエリア内を移動している。これら複数の移動無線装置時間位置入力によって、システムは、移動無線装置の関連する速度や方向を決定又は取得する。この情報並びにシステムの基地局の地理的な位置及びそれらの関連サービスエリア境界並びにこのような各基地局に関連するＭＣＭが分かると、システムは、どの将来の基地局即ち基地局サービスエリア又は関連するＭＣＭが、移動無線装置（移動体の起こり得る経路に沿ったＭＣＭ群即ち基地局）の経路によって交差される可能性があるか決定するだけでなく、いつ移動無線装置がこのような基地局サービスエリアに入る又は到着するか、また、いつ移動無線装置が出る又は離れるか、更に、その基地局サービスエリアでの移動無線装置の継続時間を決定する。更に、いつどこで（例えば、どの基地局で）移動無線装置がアクセス可能であるかが分かると、システムは、基地局サービスエリアが、ＳＩの送信中に交差される基地局（予測基地局）と関連するＭＣＭに適切なＳＩセグメントの送信を分配する。
【００１４】
例えば、ＳＩの送信に１０分かかることが分かっており、移動無線装置が、０〜４分の間、第１基地局と通信中であると予想され、５〜６分の間、第２基地局と通信中であり、最後に、７〜１０分の間で、更に第３基地局と通信中であることが分かっている場合、０〜４分で送信するものを表すＳＩセグメントは、第１基地局と関連するＭＣＭに送信すべきであり、５〜６分で送信するＳＩセグメントは、第２基地局と関連するＭＣＭに送信すべきであり、また、ストリーミング送信の最後の４分は、第３基地局と関連するＭＣＭに送信すべきである。好適な実施形態を含み、ある実施形態では、ＳＩセグメントは、以前送ったデータを含む重複ＳＩを含み情報の途切れが生じないことを保証する。ここで、ＳＩセグメントが、以前送られたＳＩセグメントと共に重複ＳＩを含む場合でも、ＳＩの両セグメントに含まれるＳＩデータが同一でないため、ＳＩセグメントは異なる。本例では、従って、移動無線装置は、受信ＳＩの内のどれが（例えば、不要な）受信重複部分であるかを解析決定し、この受信重複部分即ち不要な受信重複部分を廃棄、例えば、除去、放置、看過、もしくは無視する。
【００１５】
他の実施形態では、移動中の移動無線装置から得られる移動無線装置時間位置入力は、同じ基地局サービスエリア内ではなく、異なる基地局サービスエリア内に入る。移動無線
装置の位置を知ることは、装置が特定の基地局サービスエリア内にあることを単に知ることに限定され、それ以上の具体的な位置情報はない。本実施形態では、例えば、基地局サービスエリアの中心位置地点は、位置を特定する目的のために想定され（任意の関連する有効な地点を用い得る）、また、各関連する基地局サービスエリアへの基地局サービスエリア入力時間は、例えば、データの時間部分として用いられる。これら移動無線装置時間位置入力によって、システムは、前述の例と同じ計算を行い、速度ベクトル情報及び将来の予想基地局サービスエリア情報をもたらす。本実施形態によって、特に、速度ベクトル情報を決定する２成分の内の少なくとも１つ、例えば、位置成分に詳細が欠如していることが分かっている場合、より正確な予測は、追加の移動無線装置時間位置入力を付加することによって得られる。この付加情報は、複数の基地局からのものであり、移動無線装置の実際の方向及び速度に関してより正確な予測を行う一助となる。
【００１６】
他の実施形態では、予測推定到着時間、及び特定の基地局サービスエリアへの／からの移動無線装置の推定離脱時間を決定して、対応するＳＩセグメントが、予測基地局のＭＣＭに先に送信され、更に、推定到着時間は、同じ基地局及びＭＣＭにも送信される。移動無線装置が、示された推定到着時間後、設定時間内に特定の基地局サービスエリアに到着しない（例えば、未到着の）場合、ＳＩの対応するセグメントは、関連するＭＣＭから廃棄又は除去される。他の実施形態では、推定到着時間は、送信されず、むしろＳＩセグメントの送信が、推定到着時間より前の適切な時間まで遅延され、この場合、到着後、移動無線装置が到着しない（未到着）状態での設定期間が経過した後、ＳＩセグメントが単に失効し、また、このような時間の後、ＳＩセグメントは、関連するＭＣＭ又は複数のＭＣＭから廃棄又は除去される。
【発明を実施するための最良の形態】
【００１７】
本発明は、以下の図面を参照して容易に理解されるであろう。ここでは、同様の参照番号は、同様の要素を表す。
図１は、携帯電話、携帯情報端末（ＰＤＡ）、ラップトップ・コンピュータ等、移動無線装置１０２と通信し、また、無線ネットワーク要素１０４Ａ及び１０４Ｂを含むＷＷＡＮ又はＷＬＡＮ等の無線情報通信システム１００を示す。本実施形態では、各無線ネットワーク要素１０４Ａ−Ｂは、対応する動作可能に接続された多点ＳＩ配信回路１０６Ａ及び１０６Ｂ（更に詳細は図４に示す）、並びに対応する速度ベクトル決定器回路１０８Ａ及び１０８Ｂ（更に詳細は図３及び４に示す）の双方を含む。更に、各無線ネットワーク要素１０４Ａ−Ｂは、現在位置決定器回路１１０Ａ−Ｂも含む。ここで、回路は、好適には、マイクロプロセッサ又はデジタル信号プロセッサ（ＤＳＰ）が実行する実行可能ソフトウェアである。更に、無線ネットワーク要素１０４Ａ及び１０４Ｂは、多重移動体位置履歴メモリ１１３Ａ及び１１３Ｂ、ＳＩメモリ１１４Ａ及び１１４Ｂ、並びに基地局ネットワーク配置情報データベース１１６Ａ及び１１６Ｂにも接続される。また、基地局１１８Ａ、１１８Ｂ、１１８Ｃ、及び１１８Ｄも無線ネットワーク要素１０４Ａ及び１０４Ｂに接続される。更に、各基地局１１８Ａ−Ｄは、対応するＭＣＭ１２０Ａ、１２０Ｂ、１２０Ｃ、及び１２０Ｄを含む（メモリは、全実施形態において、キャッシュメモリではないことに留意されたい）。本明細書中に論じるネットワークは、プロセッサ、メモリ、及びネットワーク接続を利用して、説明される機能を実施する。他の実施形態では、含まれる無線ネットワーク要素１０４Ａ−Ｂは多い場合や少ない場合がある。即ち、１つ又は複数の無線ネットワーク要素１０４Ａ−Ｂに含まれる多点ＳＩ配信回路１０６Ａ−Ｂは１つ又は複数であり、あるいは、速度ベクトル決定器回路１０８Ａ−Ｂは１つ又は複数である。もしくは、含まれるＳＩメモリ１１４Ａ−Ｂは１つ又は複数であり、あるいは、基地局ネットワーク配置情報データベース１１６Ａ−Ｂは１つ又は複数である。即ち、他の実施形態では、このような任意の構成要素が、無線情報通信システム１００内のいずれの位置にでも配置される。更に、他の実施形態では、無線多重移動体位置履歴メモリ１１３Ａ−Ｂ、又はＳＩメモリ１１４Ａ−Ｂ、又は基地局ネットワーク配置情報データベース１１６
Ａ−Ｂが含まれ、無線ネットワーク要素１０４Ａ−Ｂ内に配置される。更に他の実施形態では、無線ネットワーク要素１０４Ａ−Ｂは、このような無線ネットワーク要素内にあると前述した又はそれらに接続されていると前述した上記特定要素の全てを含む。更に、用語ネットワークインフラは、このような無線ネットワーク要素内にある又はそれらに接続されていると述べた任意の１つ又は複数の要素全てを含むが、一般的に、少なくとも基地局送受信機型要素を含む。更に、ネットワーク要素又はネットワークインフラは、このような無線通信ネットワークの一部であることが当分野で知られている他の構成要素も全て含む。例えば、無線ネットワーク要素１０４Ａは、多点ＳＩ配信回路１０６Ａ、速度ベクトル決定器回路１０８Ａ、多重移動体位置履歴メモリ１１３Ａ、ＳＩメモリ１１４Ａ、基地局ネットワーク配置情報データベース１１６Ａ、基地局１１８Ａ、及びＭＣＭ１２０Ａを各々含む。他の実施形態では、含まれる基地局１１８Ａ−Ｄは多かったり少なかったりし、また、このような基地局は、同じシステム１００内のＷＷＡＮ以外のネットワークに接続される（図２参照）。更に、他の実施形態では、他の既知の適切な動作区分を利用する。例示の実施形態では、基地局１１８Ａは、ＳＩセグメント１２１Ａを送信しつつ、移動無線装置１０２に遠隔操作で接続されることを示す。無線情報通信システム１００は、その無線ネットワーク要素１０４Ａ及び１０４Ｂを介して、インターネット１２２又は他のＷＡＮもしくはＬＡＮに接続される。他の実施形態では、システム１００内の他の場所にインターネット接続を提供し、一方、他の実施形態では、提供されるインターネット接続が介する無線ネットワーク要素は多かったり少なかったりする。図示したように、インターネット１２２は、ＳＩ１２６ファイルへの組み込みリンクをウェブページ１２４に提供するウェブサーバを含む。更に、好適な実施形態では、各基地局１１８Ａ−Ｄは、ＳＩセグメント１２１Ａ等のＳＩセグメント記憶用の多重移動体ＳＩネットワークキャッシュ１２０Ａ−Ｄを利用する。またＳＩセグメント１２１Ａ−Ｃと共に移動体識別子１２８Ａ−Ｂを記憶して、多数の移動無線装置１０２の内、意図したＳＩセグメント１２１Ａ−Ｃが送信されようとする移動無線装置を識別する。この移動体識別子１２８は、速度ベクトル決定器回路にも記憶され、また、移動無線装置方向情報１３２及び移動無線装置速度情報１３４と関連付けられるだけでなく、移動無線装置時間情報１３６及び移動無線装置座標情報１３８と共に多重移動体位置履歴メモリにも記憶される。移動無線装現在位置情報１４０は、現在位置決定器回路１１０Ａ−Ｂによって生成される。
【００１８】
第１ユーザ（図示せず）は、移動無線装置１０２を用いてＳＩ１２６ファイルへのリンクを含むウェブページ１２４の要求を開始する。移動無線装置１０２が基地局１１８Ａに現在接続されていることを認識して、無線ネットワーク要素１０４Ａは、インターネット１２２に対してウェブページ１２４の要求を行う。無線ネットワーク要素１０４Ａは、ウェブページ１２４の要求を開始して、そのウェブページ情報を多重移動体ＳＩメモリ１１４Ａ又は他の適切なメモリに記憶する。多重移動体位置履歴メモリ１１３Ａは、ＲＡＭ、ＲＯＭ、１つ又は複数の回路や場所における分散型メモリ、光学メモリや磁気メモリ、又はデジタル情報を記憶可能な任意の適切なメモリであってよい。ＳＩ１２６がウェブページ１２４と関連していることを検出すると、無線ネットワーク要素１０４Ａは、ＳＩ１２６を多重移動体位置履歴メモリ１１３Ａにロードして、この情報に対するユーザからの要求を待つ。従って、ユーザは、ブラウザ又は他の適切な手順を介してＳＩ１２６へのリンクを実行する。次に移動無線装置１０２は、基地局１１８Ａに対してＳＩ１２６の要求を行う。基地局１１８Ａは、このＳＩ１２６の複写がネットワーク上に記憶されていることを認識して、この情報の配信を要求する。基地局１１８Ａは、移動無線装置１０２へのＳＩ１２６の送信を開始する。留意されたいことは、好適には、ＳＩが、初めから終わりまで中断せずに吸い上げられ、閲覧され及び／又は聴取されるように、要求されたＳＩは、単一及び継続呼出し中連続的に配信されることが期待されることである。
【００１９】
無線ネットワーク要素１０４Ａは、これらに限定しないが、三角測量、信号強度測定、信号伝播遅延、全地球測位システム（ＧＰＳ）もしくは他の適切な位置取得もしくは決定
方式、又はそれらの組合せの１つ以上を含む様々な方法で移動無線装置１０２に関する位置データを取得又は決定する。最初に、時間ｔ０で、移動無線装置１０２は、基地局１１８の通信エリア内における特定の移動無線装置時間位置入力（図示せず）である。移動無線装置１０２の位置は、多重移動体位置履歴メモリ１１３Ａに記憶される。その後の時間ｔ１で、移動無線装置１０２は、（このような新しい位置は、異なるＭＣＭ１２０Ａ−Ｄを有する他の基地局サービスエリアに存在し得るが）本例では、まだ基地局１１８Ａに接続されており、また（移動無線装置識別子１２７、移動無線装置時間情報１３６、及び移動無線装置座標情報１３８から構成される）移動無線装置時間位置入力として示す新しい関連する移動無線装置位置情報は、多重移動体位置履歴メモリ１１３Ａに記憶される。次に、好適な実施形態では、２つの移動無線装置時間位置入力１２３の最小値を多重移動体位置履歴メモリ１１３Ａに記憶して、速度ベクトル決定器回路１０８Ａは、複数の移動無線装置時間位置入力１２３と関連する位置データの変化に基づき、速度ベクトル情報１３０を得る（例えば、取得、決定、生成、検索、又は受信する）。このように、移動無線装置の方向（移動無線装置方向情報１３２）及び速度（移動無線装置速度情報１３４）を決定する。具体的には、本例では、速度ベクトル決定器回路１０８Ａは、時間ｔ１で、移動無線装置識別子１２７を有する移動無線装置１０２に適用可能な速度ベクトル情報１３０を決定する。他の実施形態では、無線ネットワーク要素１０４Ａ−Ｂ内又はネットワーク全体から速度ベクトル情報１３０を決定しないが、むしろ他の位置又はエンティティからこの情報を検索又は受信する。速度ベクトル情報１３０の移動無線装置方向情報１３２は、任意の適切な方向記録形態で、例えば、緯度又は経度又は任意の適切な表現に基づき、座標系を介して、北、東、南、及び西の形態で、記録し得る。速度ベクトル情報１３０を用いて又はそれに応じて、また、現在位置決定器回路１１０Ａが決定した移動無線装置の時間ｔ１での位置（移動無線装置現在位置情報１４０）を認識して、多点ＳＩ配信回路１０６Ａは、移動無線装置１０２の次の基地局情報を得るが、これは、例示の場合、基地局１１８Ｂである。更に、基地局ネットワーク配置情報データベース１１６Ａからの基地局ネットワーク配置情報１１７Ａ、移動無線装置現在位置情報１４０、及び速度ベクトル情報１３０を認識して、多点ＳＩ配信回路１０６Ａは、この場合、基地局１１８Ｂのサービスエリア内の位置に対応する予測位置情報を決定し得る。この情報によって、また、ＳＩ１２６ファイルのデータ量と共に、多点ＳＩ配信回路１０６Ａは、移動無線装置１０２が次の基地局１１８Ｂに移る時までに、ＳＩ１２６のどのくらいの情報が移動無線装置１０２に転送されるか判断する。多点ＳＩ配信回路１０６Ａは、基地局１１８Ａから送信される最後の情報セグメントを知ることによって、ＳＩ１２６の送信を開始する。このＳＩ１２６は、前の基地局１１８Ａで転送した情報後の次の連続情報セグメントで始まり、（必要に応じて）更に次の基地局に転送する前に基地局１１８Ｂに転送されるＳＩ１２６ファイルからの情報の最後で終わる。
【００２０】
留意されたいことは、次の基地局への任意の転送時間は、様々な理由、例えば、移動無線装置の速度の変化、転送処理遅延、ネットワークトラフィック、又は他の要因により決して厳密ではなく、従って、次の予測基地局に重複ＳＩセグメント又はＳＩセグメントの一部（送信重複部分）を送信すると有利な場合がある。この送信重複部分の受信を処理する場合、移動無線装置１０２は、ＳＩセグメントアナライザ回路５０２（図５参照）のセグメントによって、移動無線装置１０２が以前受信した送信重複部分（受信重複部分５０８）の一部を分析、識別、及び廃棄し、一方、まだ受信していない送信重複部分（未受信重複部分５１０）の一部を保持するようになっている。重複していると見なされるものは、送受信機能のどの側面を考慮しているかに依存することを留意されたい。送信時、送信重複部分は、送信側が受信側に以前送信したＳＩセグメントの部分である。しかしながら、受信時、受信重複部分５０８は、受信側が以前受信に成功した部分である。従って、送信重複部分は、受信重複部分５０８に常に等しいとは限らないことが予想される。例えば、任意の特定のＳＩセグメントが、複数のパケットから構成される場合、また、任意の特定のパケットを識別し得る場合、更に、移動無線装置が、最終パケットの受信前であると
特定される新しいパケットを受信する場合、このようなパケットは、反復的な情報として廃棄される（例えば、最終受信パケットは、最終接続基地局から受信された情報であり、新しいパケットは、未受信重複部分又は新しい基地局が送信したパケットである）。本明細書で用いる用語“回路”は、少なくとも以下のものを含む。即ち、マイクロプロセッサ等、ソフトウェアを実行する１つ又は複数の処理装置、デジタル信号プロセッサ（ＤＳＰ）、マイクロコントローラ即ち個別論理回路、状態機械、又は任意の適切なハードウェア、ソフトウェア及び／又はファームウェアの組合せを含む。
【００２１】
上述した同じ種類の機能、例えば、速度ベクトル情報に基づき任意の所定の時間に移動無線装置の位置を予測する機能を用いると、ＳＩのどの部分又はセグメントが、任意の特定の基地局サービスエリア全体に配信される可能性があるか厳密に予測可能である。更に、移動無線装置１０２は連続位置データを得ることができるため、移動無線装置１０２の将来の予測位置は、この新しい情報を反映するために連続的に更新可能であり、これに伴い、関連する速度ベクトル情報の更新が可能である。また更に、多点ＳＩ配信回路１０６Ａ−Ｂには、速度ベクトル情報１３０の複数の組からの情報を利用して速度ベクトル情報のそれぞれの変化（例えば、加速度）を決定して、将来の或る時間における移動無線装置１０２の将来位置を予測するように速度ベクトル情報の形態としてこの情報を用い得るような機能及び関連する回路が含まれる。ＳＩのどの部分又はセグメントが、任意の特定の基地局全体で配信される可能性があるかを予測するこの機能は、図２の後述する実施形態におけるＷＬＡＮにも同様に適用可能である。更に、後続の予測が、移動無線装置速度、方向、又は推定到着時間の変化により将来位置が変化したことを示す場合、また、ＳＩセグメントが、この予測に基づきこのような予測基地局に送信された場合、更に、初期の予測が後の予測によって否定された場合、後の予測基地局から外れると後で識別されるこのような初期予測基地局は、例えば、放棄されたステータスコードを用いて交信され、関連する放棄ＳＩセグメントを除去、廃棄、もしくは無視するように命令される。
【００２２】
図２は、ＷＬＡＮ部２０２及びＷＷＡＮ部２０４を有するＳＩを提供する無線情報通信システム２００の一例を示す。このシステムの場合、無線情報通信システム２００は、ネットワーク境界２０６によって分離された２つの相互接続ネットワークＷＬＡＮ２０２及びＷＷＡＮ２０４から構成される。ＷＷＡＮ２０４は、図１の無線情報通信システム１００とほぼ同じように機能する。しかしながら、例えば、移動無線装置２０８が、双方向ネットワーク回路（２つのアンテナで示す）を含みＷＷＡＮ２０４及びＷＬＡＮ２０２の双方と通信を行う場合、相違点が存在する。更に、図２には示さないが、多重移動体ＳＩネットワークキャッシュは、好適な実施形態では、各基地局２１０Ａ、２１０Ｂ、２１０Ｃ、２１０Ｄ、及び２１０Ｅとも関連付けられる。本実施形態では、好適な実施形態と同様に、複数の無線移動装置の予測ＳＩセグメントは、関連する基地局の多重移動体ＳＩネットワークキャッシュに記憶される。従って、複数の基地局は、複数の移動無線装置の複数ＳＩセグメントを記憶する。更に、移動無線装置２０８は、用いられるネットワークの種類に基づき、適切なネットワークプロトコルを用いる。
【００２３】
ＷＬＡＮ２０２は、ブルートゥースシステム又は他の適切なシステム等、広帯域幅／近距離型ネットワークであってよい。移動無線装置２０８は、ＷＬＡＮＲＦ送信機（基地局）２１０Ａの基地局サービスエリアに配置して示す。また移動無線装置２０８は、基地局２１０Ｂに関連付けられた基地局エリアに入る破線でも示される。このＷＬＡＮ２０２の実施形態は、２つのＷＬＡＮサーバ２１２Ａ及び２１２Ｂを含み、各々、多点ＳＩ配信回路２１４Ａ及び２１４Ｂをそれぞれ有する。更に、現在位置決定器回路２１５Ａ及び２１５Ｂ、速度ベクトル決定器回路２１６Ａ及び２１６Ｂ、多重移動体位置履歴メモリ２１８Ａ及び２１８Ｂ、ＳＩメモリ２２０Ａ及び２２０Ｂ、並びに基地局ネットワーク配置情報データベース２２２Ａ及び２２２Ｂを含む。２つのサーバをここに示したが、他の実施形態では、任意の適切な数のサーバが利用され、このようなサーバは、１つ又は複数の多点
ＳＩ配信回路２１４Ａ−Ｂを用い、また、幾つかの実施形態では、ＷＬＡＮ２０２内の他の所に配置されたり、それに接続されたりする。ＷＬＡＮ２０２は、そのＷＬＡＮサーバ２１２Ａ−Ｂ又は他のリンクを介してインターネット１２２に接続される。図示したように、インターネット１２２は、ＳＩ１２６ファイルへの組み込みリンクをウェブページ１２４に提供するウェブサーバを含む。各ＷＬＡＮサーバ２１２Ａ−Ｂは、現在位置決定器回路２１５Ａ−Ｂ及び速度ベクトル決定器回路２１６Ａ−Ｂに接続される。ここではＷＬＡＮサーバ２１２Ａ−Ｂ外に配置して示したが、他の実施形態では、別個の現在位置決定器回路２１５Ｂ及び別個の速度ベクトル決定器回路２１６Ａ−Ｂが、同じＷＬＡＮサーバ２１２Ａ−Ｂに配置される。他の実施形態では、複数のＷＬＡＮサーバ２１２Ａ−Ｂに対して、単一の現在位置決定器回路２１５Ａ−Ｂ及び単一の速度ベクトル決定器回路の双方又はいずれかが、単一の位置のみに配置され、また、対応するＷＬＡＮサーバ２１２Ａ−Ｂから遠隔操作でアクセスされなければならない。更に、ＷＬＡＮサーバ２１２Ａ−Ｂは、基地局２１０Ａ−Ｅにも接続される。他の実施形態では、含まれる基地局は、多かったり少なかったりし、また、ＷＬＡＮに限定されたネットワーク間接続部を有する。最後に、図示した基地局（ＲＦ送信機）２１０Ａは、ＳＩセグメント１２１Ａを送信している間、移動無線装置２０８に遠隔操作で接続される。
【００２４】
動作中、ＷＬＡＮ２０２は、図１のＷＷＡＮ２０４に対して述べたものと殆ど同じように機能する。しかしながら、相違点が存在する。例えば、上述したように、ＷＬＡＮハンドオフは、信号強度及び信号対雑音比に基づく。アクセスポイント、例えば、基地局２１０Ａ−Ｅは、信号が低閾値に達した時、無線移動装置２０８を手放すため、無線移動装置は、そのアクセスに最適なアクセスポイント、例えば、基地局２１０Ａ−Ｅを識別しなければならない。
【００２５】
図３は、本発明の一実施形態に基づく無線ネットワーク要素１０４Ａの一例のブロック図を示す。ここで示す無線ネットワーク要素１０４Ａは、速度ベクトル決定器回路１０８Ａ、多点ＳＩ配信回路１０６Ａ、及び現在位置決定器回路１１０Ａを含む。また、図示した速度ベクトル決定器回路１０８Ａは、速度決定器回路１１１及び方向決定器回路１１２を有する。更に、破線で示したように、幾つかの実施形態では、多重移動体位置履歴メモリ１１３Ａが、無線ネットワーク要素１０４Ａに含まれる。また破線で示すように、望ましい場合、ＳＩメモリ１１４Ａ、基地局ネットワーク配置情報データベース１１６Ａ、及びＭＣＭ１２０Ａが、無線ネットワーク要素１０４Ａに配置される。更に、アンテナを無線ネットワーク要素１０４Ａに取り付けて示すように、無線ネットワーク要素１０４Ａの幾つかの実施形態には、無線ネットワーク要素１０４Ａが基地局１１８Ａの全ての要素を含むように、基地局１１８Ａと関連する全ての構成要素が含まれる（無線ネットワーク要素及び基地局は１つ又は同じである）。また図３では、基地局ネットワーク配置情報１１７Ａ、移動無線装置時間位置入力１２３、ＳＩ１２６、ＳＩセグメント１２１Ａ、移動無線装置識別子１２７、及び移動無線装置現在位置情報１４０が示されている。
【００２６】
図４は、速度ベクトル決定器回路１０８Ａ及び予測多点ＳＩ配信回路１０６Ａ双方の詳細例を示す。図示したように、本実施形態には、速度決定器回路１１１及び方向決定器回路１１２を含む。多点ＳＩ配信回路１０６Ａは、多重基地局サービスエリアキャッシュ内容決定器回路４０６と、ＳＩパーサ回路４０８と、ＳＩセグメントルータ４１０とを含む。
【００２７】
好適な実施形態では、速度ベクトル決定器回路１０８Ａは、入力として移動無線装置時間位置入力１２３を受信する。速度ベクトル決定器回路１１１は、移動無線装置時間位置入力１２３を移動無線装置速度情報１３４に変換する。更に、方向決定器回路１１２は、移動無線装置時間位置入力１２３を移動無線装置方向情報１３２に変換する。速度及び方向情報は共に速度ベクトル情報１３０を構成する。他の実施形態では、多点ＳＩ配信回路
１０６Ａと共に移動無線装置方向情報１３２又は移動無線装置速度情報１３４のいずれか（例えば、両方ではない）を用い得る。
【００２８】
本実施形態では、多点ＳＩ配信回路１０６Ａは、速度ベクトル情報１３０、移動無線装置現在位置情報１４０、ＳＩ１２６、及び基地局ネットワーク配置情報１１７Ａを入力として受信する。多重基地局サービスエリアキャッシュ内容決定器回路４０６は、速度ベクトル情報１３０、移動無線装置現在位置情報１４０、及び基地局ネットワーク配置情報１１７Ａを、起こり得る移動経路に沿う基地局群及び各対応する基地局で費やされる推定継続時間の双方を含む情報に変換する。また、留意されたいことは、多重基地局サービスエリアキャッシュ内容決定器４０６が受信する情報は、２つの速度ベクトル情報１３０成分の内の１つのみに限定でき、また、このように、複数の基地局及び推定継続時間が生じる（例えば、速度が未知な場合、継続時間が未知であり、方向が未知な場合、より複数の潜在的基地局が増える）ことである。速度ベクトル情報１３０を用いて、無線移動装置の予測経路が、どのように既存の基地局サービスエリアを交差するか決定できるように、基地局ネットワーク配置情報１１７Ａは、システムの配置を識別する任意のマッピング情報であってよい。ＳＩパーサ回路４０８は、多重基地局サービスエリアキャッシュ内容決定器回路４０６から以下のＳＩセグメントパラメータを受信する。即ち、多重移動ストリーム情報ネットワークキャッシュメモリアドレス４１２（４１２Ａ−４１２Ｃ）、移動無線装置識別子１２７、及びＳＩセグメント長４１４である。留意されたいことは、多重移動ストリーム情報ネットワークキャッシュメモリアドレス４１２は、任意の識別子の形態（多重移動ストリーム情報ネットワークキャッシュメモリ識別子）であってよく、実際のアドレス（例えば、メモリアドレス）でなくてよい。またＳＩパーサ回路４０８は、入力としてＳＩ１２６も受信する。ＳＩパーサ回路４０８は、上記情報を利用して、以下の出力、即ち、ＭＣＭ４１２、移動無線装置識別子１２７、及びＳＩセグメント１２１Ａ−Ｃを生成し、関連するＭＣＭ１２０Ａ−ＣにＳＩセグメントルータ４１０を介して配信する。ここで、ＳＩセグメント１２１Ａ−Ｃは、移動無線装置が、対応する基地局で費やすと予想される継続時間に合わせて調整され、また、ＳＩ１２６の受信が実際に予想される基地局群のみに限定される。
【００２９】
図５は、移動無線装置１０２のより詳細な例を示す。図示したように、本実施形態には、移動無線装置メモリ５０４が動作可能に接続するＳＩセグメントアナライザ回路５０２が含まれる。ＳＩセグメントアナライザ回路５０２は、更に、現ＳＩセグメント５０６を含む。ここで、回路は、好適には、マイクロプロセッサ又はデジタル信号プロセッサ（ＤＳＰ）を介して実行するソフトウェアである。現ＳＩセグメント５０６は、以下の部分、即ち、受信重複部分５０８、未受信重複部分５１０、送信非重複部分５１２、受信非重複部分５１４、及び送信重複部分５１６から構成される。移動無線装置メモリ５０４は、外部基地局からＳＩセグメント１２１Ａ−Ｃを受信する。ＳＩセグメント１２１Ａ−Ｃは、ＳＩセグメントアナライザ回路５０２によって処理される。本実施形態では、この処理は、以下のように行う。即ち、現ＳＩセグメント５０６は、移動無線装置１０２が以前受信した任意のＳＩ（受信重複部分５０８）を含むかどうか決定するために分析される。そうであれば、この受信重複部分は、廃棄、除去、もしくは無視され、また、移動無線装置１０２が、残りの受信非重複部分５１４のみをＳＩ１２６として処理する。
【００３０】
図６は、予測的に複数の基地局１１８Ａ−Ｄを介して移動無線装置１０２にＳＩ１２６を提供するための方法の一例６００を示す。具体的には、図６では、ステップ６０４を説明するが、ここでは、移動無線装置方向情報１３２が取得又は決定される。また図６は、ステップ６０６も示すが、ここでは、異なるＳＩセグメント１２１Ａ−Ｃが、複数の多重移動体ＳＩネットワークメモリ１２０Ａ−Ｄに送信され、移動無線装置方向情報１３２に基づき、移動無線装置１０２への通信が行われ、この場合、複数の各多重移動体ＳＩネットワークメモリ１２０Ａ−Ｄが、異なる基地局１１８Ａ−Ｄと関連付けられている。
【００３１】
図７は、予測的に複数の基地局１１８Ａ−Ｄを介して移動無線１０２にＳＩ１２６を提供するための方法６００のより詳細な例７００を示す。具体的には、方法６００のステップ６０４及び６０６の図示に加えて、追加の選択ステップも示す。第１選択ステップ７０２を用いて、移動無線装置方向情報１３２、移動無線装置現在位置情報１４０、及び基地局ネットワーク配置情報１１７Ａに基づき、多重移動体ＳＩネットワークメモリ識別子４１２を決定する。ステップ７０２は、更に、移動無線装置方向情報１３２が、移動無線装置１０２と関連する移動無線装置時間位置入力１２３から取得又は決定されるように、選択ステップ７０４によって制限される。次に、選択ステップ７０６を用いて、速度ベクトル情報１３０及び移動無線装置現在位置情報１４０に基づき、ＳＩセグメント長４１４を決定する。更に、ステップ７０８は、例えば、パケットサイズを調整するためにユーザ・データグラム・プロトコル（ＵＤＰ）を用いて実現し得る。選択ステップ７０８を用いて、移動無線装置速度情報１３４に基づき、複数の多重移動体ＳＩネットワークメモリ１２０Ａ−Ｄに異なるＳＩセグメント１２１Ａ−Ｃを送信する。更に、ステップ７１０は、異なる多重移動体ＳＩネットワークメモリ１２０Ａ−Ｄに送信される異なるＳＩセグメント１２１Ａ−Ｃの一部が、送信重複ＳＩ部５１６を含むように、選択ステップ７０８を制限する。またステップ７１２は、異なるＳＩセグメント１２１Ａ−Ｃが、パケットサイズを有するパケットを更に含み、パケットサイズが、速度ベクトル情報１３０に基づき決定されるように、選択ステップ７０８を制限する。
【００３２】
図８は、本発明の一実施形態に基づき予測的に移動無線通信装置１０２との通信をサポートし得る複数のネットワークインフラ１１８Ａ−Ｄを介して移動無線通信装置１０２にＳＩ１２６を提供するための方法８００を示す。最初に、ステップ８０２は、移動無線通信装置１０２の通信をサポートする第１ネットワークインフラ１１８Ａから移動無線通信装置へ現ＳＩ１２１Ａを流す段階を含む。次に、ステップ８０４は、第１ネットワークインフラによってサポートされない移動無線通信装置の通信をサポートするネットワークインフラ１１８Ｂに将来情報１２１Ｂを送信する。次に、ステップ８０６は、将来情報が送信されたネットワークインフラ１１８Ｂが移動無線通信装置１０２の通信をサポートする場合、将来情報１２１Ｂが送信されているネットワークインフラ１１８Ｂから移動無線通信装置１０２へ将来情報１２１Ｂを流す。選択ステップ８０８は、第１ネットワークインフラ１１８Ａがサポートしない移動無線通信装置１０２の通信をサポートする可能性が低いネットワークインフラよりも移動無線通信装置の将来の通信をサポートする可能性が高いネットワークインフラ１１８Ｂへの将来情報１２１Ｂの送信を要求することによってステップ８０６を制限する。次の選択ステップ８１０は、更に、第１ネットワークインフラ１１８Ａがサポートしない移動無線通信装置１０２の将来の通信をサポートする可能性が低いネットワークインフラに将来情報１２１Ｂを送信しないことによってステップ８０８及び８０６の双方を制限する。また選択ステップ８１２は、ステップ８０６も制限するが、この場合、ネットワークインフラ１１８Ａへ将来情報１２１Ｂを送信する段階は、移動無線通信装置１０２の通信をサポートする少なくとも１つのセル基地局１１８Ａがアクセス可能な少なくとも１つのメモリ装置１２０Ａに将来情報１２１Ｂを送信する段階を含む。最後に、選択ステップ８１４は、更に、ステップ８１２及び８０６の双方を制限するが、この場合、移動無線通信装置１０２へ将来情報１２６を流す段階には、基地局１１８Ｂが移動無線通信装置１０２の通信をサポートする場合、将来情報１２１Ｂが送信されたメモリ装置１２０Ｂにアクセスする基地局１１８Ｂから情報１２１Ｂを流す段階が含まれる。
【００３３】
図９は、本発明の一実施形態に基づき予測的に移動無線通信装置１０２との通信をサポートし得る複数のネットワークインフラ１１８Ａ−Ｄを介して移動無線通信装置１０４にＳＩ１２１Ａ−Ｄを提供するための方法９００を示す。ステップ９０２は、無線通信ネットワーク２０４の第１セル領域において、移動無線通信装置１０２へ情報１２１Ａを流す
段階を含む。ステップ９０４は、更に、移動無線通信装置１０２が第１セル領域以外の無線通信ネットワーク２０４の少なくとも１つのセル領域に入る前に、該少なくとも１つのセル領域において移動無線通信装置１０２の通信をサポートするネットワークインフラ１１８Ｂに移動無線通信装置１０２に将来流す予定の情報を提供する段階を含む。次に、ステップ９０６は、更に、移動無線通信装置１０２が移動したセル領域での通信をサポートするネットワークインフラ１１８Ｂに以前提供された情報１２１Ｂを移動無線通信装置１０２に流すことによって、移動無線通信装置１０２が無線通信ネットワーク２０４の第１セル領域から他のセル領域に移動する時、移動無線通信装置１０２に情報１２１Ａ−Ｄを連続的に流す段階を含む。選択ステップ９０８は、更に、移動無線通信装置１０２の移動方向１３２に基づき、第１セル領域以外の無線通信ネットワーク２０４の少なくとも１つのセル領域において移動無線通信装置１０２の通信をサポートするネットワークインフラ１１８Ｂへ移動無線通信装置１０２に将来流す予定の情報１２１Ｂを提供する点でステップ９０６を制限する。また選択ステップ９１０は、移動無線通信装置１０２に将来流す予定の情報１２１Ｂを、移動無線通信装置１０２の将来の通信をサポートする可能性が全くないものよりも可能性が高いネットワークインフラのみに提供する点でステップ９０６を制限する。
【００３４】
図１０は、本発明の一実施形態に基づき予測的に無線装置１０２との通信をサポートし得る複数のネットワークインフラ１１８Ａ−Ｄを介して移動無線通信装置１０２にＳＩ１２６を提供するための方法１０００を示す。ステップ１００２は、無線通信ネットワーク２０４の第１セル領域において移動無線通信装置１０２に情報を流す段階を含む。更にステップ１００４は、移動無線通信装置１０２が隣接セルに入る前に、第１セルに隣接する全セルより少ないセルにおいて通信をサポートするネットワークインフラに、移動無線通信装置１０２に将来流す予定の情報を提供することによって、移動無線通信装置１０２が第１セル領域から隣接セルに移動する時、移動無線通信装置１０２に情報１２１Ａ−Ｄを連続的に流す段階を含む。選択ステップ１００６は、更に、移動無線通信装置１０２が移動する可能性が低い他の隣接セルに対して、移動無線通信装置１０２が移動する可能性が最も高い隣接セルにおいて通信をサポートするネットワークインフラに、移動無線通信装置１０２に将来流す予定の情報１２１Ｂを提供する点でステップ１００４を制限する。次に、選択ステップ１００８は、移動無線通信装置１０２の現在の移動方向１３２に基づき、移動無線通信装置１０２に将来流す予定の情報１２１Ｂを提供する点でステップ１００４を制限する。
【００３５】
本明細書で論じた全ての回路は、また、特に、好適にはコンピュータ符号の形態として具体的に識別される回路は、フロッピーディスク、ハードディスク、コンパクトディスク、光記憶媒体、又はデジタル情報用の任意の他の適切な記憶手段等、様々なコンピュータ読み込み可能媒体上にコンピュータ符号として記憶し得る。また、このような媒体上に記憶されるこのようなコンピュータ読み込み可能プログラム符号を実行すると、１つ又は複数のプロセッサが、このような符号に固有の機能を上述したように行い得る。
【００３６】
例示したように、上記方法及び装置は、特に、予測ＳＩセグメントの配信を予測基地局に提供する。このことは、移動無線装置へのＳＩ配信のスムーズさを高めることによってユーザの体験を改善する。他の利点は、当業者によって認識されるであろう。
【００３７】
上記装置及び方法は、利点の中でも特に、移動中の移動無線装置の速度ベクトル情報を得るために一連の位置データを利用する。更に、このような情報は、交差する各基地局サービスエリアに対する移動無線装置の到着及び離脱時間を予測するために一連の基地局の既知の配置と共に用いられる。この情報によって、既知のＳＩファイルは、予め選択されたＳＩセグメントのみが対応する各基地局に送信されるように、交差する組の基地局に渡ってマッピングし得る。他の利点は、当業者によって認識されるであろう。
【００３８】
本発明の他の変形や修正の実現及びその様々な側面は、当業者には明白であり、また、本発明は、説明した具体的な実施形態によって制限されないことを理解されたい。従って、本明細書に開示され請求される基本的な根源的原理の精神と範囲内にある全ての修正、変形、又は等価物は、本発明によって網羅される。
【図面の簡単な説明】
【００３９】
【図１】本発明に対する一実施形態に基づきネットワーク基地局と移動無線装置との間の無線情報通信システムを介してＳＩを提供する本発明の一実施形態に基づくシステムの一例を示すブロック図。
【図２】本発明の一実施形態に基づきネットワーク基地局と移動無線装置との間で、ＷＬＡＮ部及びＷＷＡＮ部を有する無線情報通信システム上でＳＩを提供する本発明の一実施形態に基づく装置の一例を示すブロック図。
【図３】本発明の一実施形態に基づく無線ネットワーク要素の一例を示すブロック図。
【図４】本発明の一実施形態に基づく無線ネットワーク要素内における特定要素及びデータフローの一例を示すブロック図。
【図５】本発明の一実施形態に基づく移動無線装置の一例を示すブロック図。
【図６】本発明の一実施形態に基づき予測的に複数のネットワーク基地局を介して移動無線装置に情報を提供するための方法の一例を示すフローチャート。
【図７】本発明の一実施形態に基づき予測的に複数のネットワーク基地局を介して移動無線装置に情報を提供するための方法の一例を詳細に示すフローチャート。
【図８】本発明の一実施形態に基づき予測的に無線装置との通信をサポートし得る複数のネットワークインフラを介して移動無線通信装置に情報を提供するための方法の一例を示すフローチャート。
【図９】本発明の一実施形態に基づき予測的に無線装置との通信をサポートし得る複数のネットワークインフラを介して移動無線通信装置に情報を提供するための方法。
【図１０】本発明の一実施形態に基づき予測的に無線装置との通信をサポートし得るネットワークインフラを介して移動無線通信装置に情報を提供するための方法。
【図１】
0004496088.tif 000002
【図２】
0004496088.tif 000003
【図３】
0004496088.tif 000004
【図４】
0004496088.tif 000005
【図５】
0004496088.tif 000006
【図６】
0004496088.tif 000007
【図７】
0004496088.tif 000008
【図８】
0004496088.tif 000009
【図９】
0004496088.tif 000010
【図１０】
0004496088.tif 000011